(57)【特許請求の範囲】
【請求項１】
第１の用紙搬送路と、この第１の用紙搬送路に合流する第２の用紙搬送路とを備えた用紙搬送装置において、
前記第１の用紙搬送路の一方面を形作る第１の相手部材と、
前記合流する箇所近傍における前記第１の用紙搬送路の他方面を形作り、且つ前記合流する箇所近傍における前記第２の用紙搬送路の一方面を形作る合流ユニットとを備え、
前記第１の相手部材は開放可能に構成され、この第１の相手部材を開放することにより前記第１の用紙搬送路が露出されるものであり、
この第１の用紙搬送路を露出させた状態のときに、前記合流ユニットが前記第１の用紙搬送路側から引出可能に構成されたものであることを特徴とする用紙搬送装置。
【請求項２】
前記第１の用紙搬送路に合流する第３の用紙搬送路を更に備え、前記合流ユニットがこの合流する箇所近傍における前記第３の用紙搬送路の一方面を形作るものである請求項１に記載の用紙搬送装置。
【請求項３】
前記第１の用紙搬送路が、用紙搬送装置の一方側側面近傍に形成され、第１の給紙部から画像形成部に向けて略上下方向に用紙を搬送する搬送路であり、
前記第２の用紙搬送路が、前記一方側側面の反体側に設けられたバイパストレイから用紙を略水平方向に搬送するバイパス搬送路である請求項１または２に記載の用紙搬送装置。
【請求項４】
前記合流ユニットは、
前記第１または第２の用紙搬送路上の用紙を搬送する搬送ローラと、
用紙搬送装置本体側から伝達される駆動を受けて前記搬送ローラを駆動する駆動力伝達部とを備えたものである請求項１〜３のいずれかに記載の用紙搬送装置。
【請求項５】
前記駆動力伝達部は、用紙搬送装置本体側に向けた駆動力を送出する送出部を有する請求項４に記載の用紙搬送装置。
【発明の詳細な説明】
【０００１】
【発明の属する技術分野】
本発明は、複写機，プリンター，ファクシミリ，スキャナー等のように用紙搬送機構を備えた用紙搬送装置に関するものである。
【０００２】
【従来の技術】
用紙搬送装置の例えば複写機では、下方に位置させた給紙部（以下、第１の給紙部と称することがある）と、複写機側面に配置したバイパストレイ（以下、第２の給紙部と称することがある）との２種類の給紙部を備えたものが一般的であり、上記第１の給紙部には、頻繁に使用する種類の用紙を収納し、上記第２の給紙部（バイパストレイ）には、通常使用しない種類の用紙を適宜収納して使用している。
【０００３】
図７は上記複写機の概略構成を示す模式図であり、上記バイパストレイが複写機本体内に収納可能なタイプのものを示している。
【０００４】
この複写機６０は、複写機本体の下部に配設された給紙部２００と、この給紙部２００の上方に配設された画像形成部３００と、この画像形成部３００よりも排出側に配設された定着部４００と、この定着部４００の上方に配置された排出部６００、並びに複写機本体の上部に配設された画像読取部５００を備え、そして上記給紙部２００，上記画像形成部３００，上記定着部４００，及び上記排出部６００を繋ぐ用紙搬送部１００を備えている。
【０００５】
上記画像形成部３００は、電子写真プロセスによって用紙に所定のトナー像を形成するものであり、回転可能に軸支された感光体ドラム３０１と、この感光体ドラム３０１の周囲にその回転方向（矢印Ａ）に沿って、帯電ユニット３０２、露光ユニット３０３、現像ユニット３０４、転写ユニット３０５、クリーナー３０６を備えている。
【０００６】
上記帯電ユニット３０２は、帯電ワイヤからのコロナ放電によって感光体ドラム３０１の表面に所定電位を与えるものである。露光ユニット３０３は、上記画像読取部５００によって読み取られた原稿の画像データに基づいて、レーザ光を感光体ドラム３０１に照射することにより、感光体ドラム３０１表面の電位を選択的に減衰させて、この感光体ドラム３０１の表面に静電潜像を形成するものである。現像ユニット３０４は、上記静電潜像をトナーにより現像して、感光体ドラム３０１の表面にトナー像を形成するものである。転写ローラ３０５は、感光体ドラム３０１の表面のトナー像を用紙上に転写するものである。クリーナー３０６は、転写後の感光体ドラム３０１の表面に残留しているトナーを除去するものである。
【０００７】
上記定着部４００は、上記画像形成部３００の用紙搬送方向の下流側に配置され、上記画像形成部３００においてトナー像が転写された用紙を、一対のローラ（加熱ローラ４０１及び加圧ローラ４０２）によって挟んで加熱し、用紙上にトナー像を定着させるものである。
【０００８】
画像読取部５００は、コンタクトガラス上に載置された原稿に、露光ランプから光を照射し、その反射光を反射鏡を介して光電変換部に導くことにより、原稿の画像情報を読み取るものである。
【０００９】
上記給紙部２００は、複写機の下部に位置する第１の給紙部２１０と、この第１の給紙部２１０の上側側方に位置する第２の給紙部２２０の２種類からなる。上記第１の給紙部２１０は更に２つの給紙カセット２０１，２０２を備え、２種類の用紙を収納可能となっている。上記第２の給紙部（バイパストレイ）２２０は引出／収納可能なトレイ部２２１と、このトレイ部２２１を収納したときに複写機側壁を閉じる蓋部２２２からなり、複写機６０の側面から用紙を補充できる様になっている。
【００１０】
それぞれの給紙カセット２０１，２０２やトレイ部２２１には用紙搬送路が接続されており、このうち最も下に位置する給紙カセット２０１から上記画像形成部３００に向かう第１の用紙搬送路１１０に対し、上記給紙カセット２０１の上に位置する給紙カセット２０２からの第３の用紙搬送路１３０が合流し、更に上記トレイ部２２１から導出される第２の用紙搬送路１２０が合流している。そして画像形成部３００に向かった上記第１の用紙搬送路１１０は、更に上記画像形成部３００から定着部４００を経て排出部６００に向かっている。尚これらの用紙搬送路により上記用紙搬送部１００が構成されている。また複写が完了した用紙は、排出部６００の排出ローラ６０５から排出トレイ６１０上に排出される。
【００１１】
図７から分かる様にこの複写機６０は縦搬送型であり、複写機全体がコンパクトになっている。またこのバイパストレイ収納タイプの複写機６０では、バイパストレイ２２１に用紙を積載したままトレイ２２１を閉じることができるから、積載用紙の吸湿を防ぐことができ、また防塵にもなるという利点を有する。
【００１２】
【発明が解決しようとする課題】
上記縦搬送型の複写機６０では一般に上記第１の用紙搬送路１１０は複写機６０の側壁面近傍に設けられており、この側壁面が扉状となって該扉を開けることにより上記第１の用紙搬送路１１０が容易に露出される構成となっている。上記複写機６０は専ら上記第１の給紙部２１０の用紙を使用しており、上記第１の用紙搬送路１１０が主な用紙搬送路となることから、この箇所に紙詰まりを起こす可能性が高いが、上記の如く第１の用紙搬送路１１０が容易に露出されればジャム処理もし易い。
【００１３】
これに対して第２の給紙部２２０からの第２の用紙搬送路１２０は複写機６０内の奥まった箇所に位置しており、ジャム処理することが容易ではない。従ってこの第２の用紙搬送路１２０において紙詰まりが生じた場合には、ジャム処理に非常に時間がかかったり、サービスマンを呼ぶ必要が生じたりする。
【００１４】
尚上記第２の用紙搬送路１２０も複写機６０壁面近傍に配置して、露出が容易な様に構成することも考えられるが、装置の小型化の要請を満足させる為には、大抵の場合は第２の用紙搬送路１２０が奥まった位置となってしまい、ジャム処理の不便を容認せざるを得なかった。
【００１５】
また特に上記第２の用紙搬送路１２０が上記第１の用紙搬送路１１０に対して合流する箇所は、搬送路が交錯するために紙詰まりを生じるおそれが高く、使用者自身でジャム処理を簡単に行えることが望まれていた。
【００１６】
そこで本発明は上述の問題を解消する為になされたものであり、上記合流箇所におけるジャム処理を容易に行うことができる画像処理装置を提供することを目的とする。
【００１７】
【課題を解決するための手段】
本発明に係る用紙搬送装置は、第１の用紙搬送路と、この第１の用紙搬送路に合流する第２の用紙搬送路とを備えた用紙搬送装置であって、前記第１の用紙搬送路の一方面を形作る第１の相手部材と、前記合流する箇所近傍における前記第１の用紙搬送路の他方面を形作り且つ前記合流する箇所近傍における前記第２の用紙搬送路の一方面を形作る合流ユニットとを備え、前記第１の相手部材が開放可能に構成され、この第１の相手部材を開放することにより前記第１の用紙搬送路が露出されるものであり、この第１の用紙搬送路を露出させた状態のときに、前記合流ユニットが前記第１の用紙搬送路側から引出可能に構成されたものであることを要旨とする。
【００１８】
上記合流ユニットは合流箇所近傍における第１の用紙搬送路の他方面（以下、第１他方面と称することがある）及び第２の用紙搬送路の一方面（以下、第２一方面と称することがある）を担っているが、本発明はこの様に合流箇所近傍の用紙搬送路面を構成する部材を引出可能なユニット構成としたものである。
【００１９】
上記の如く合流ユニットの第１他方面に対向した上記第１の相手部材が開放可能に構成されているから、上記第１他方面を露出可能であり、そして合流ユニットが第１の用紙搬送路側から引出可能な構成であるから、上記の様にして露出された上記第１他方面側から引き出して、合流箇所付近の上記第２の用紙搬送路を露出させることができる。従ってたとえ第２の用紙搬送路が装置の奥まった箇所に位置していても、合流箇所近傍の第２の用紙搬送路を容易に露出させてジャム処理することができる。
【００２０】
しかも上記の様に合流ユニットを取り出すにあたって、第１の用紙搬送路の部分を利用しているから、合流ユニット取出の為に専用の開口部を新たに形成する必要がない。
【００２１】
尚上記合流ユニットは上記引出しに引き続いて、更に取り外すことができる様に構成しても良い。
【００２２】
加えて本発明において、前記第１の用紙搬送路に合流する第３の用紙搬送路を更に備え、前記合流ユニットがこの合流する箇所近傍における前記第３の用紙搬送路の一方面を形作るものであることが好ましい。
【００２３】
この様に、第１の用紙搬送路に対して第２，３の２つの用紙搬送路が合流する装置の場合に、第２の用紙搬送路が合流する箇所から第３の用紙搬送路が合流する箇所にわたってこれら合流箇所近傍の用紙搬送路面を形成する合流ユニットとしても良く、この装置の場合であれば、奥まって位置する第２，３の２つの用紙搬送路について容易に露出させてジャム処理することができる。
【００２４】
また本発明において、前記第１の用紙搬送路が、用紙搬送装置の一方側側面近傍に形成され、第１の給紙部から画像形成部に向けて略上下方向に用紙を搬送する搬送路であり、前記第２の用紙搬送路が、前記一方側側面の反体側に設けられたバイパストレイから用紙を略水平方向に搬送するバイパス搬送路であることが好ましい。
【００２５】
この様に縦（略上下方向）に走行する上記第１の用紙搬送路に対して横方向（略水平方向）からバイパス搬送路が合流するタイプの用紙搬送装置は、上記第２の用紙搬送路（バイパス搬送路）が非常に奥まって位置しているから、本発明の様に合流箇所近傍の第２の用紙搬送路を露出できる構成のものは有効である。
【００２６】
更に本発明においては、前記合流ユニットが、前記第１または第２の用紙搬送路上の用紙を搬送する搬送ローラと、用紙搬送装置本体側から伝達される駆動を受けて前記搬送ローラを駆動する駆動力伝達部とを備えたものであることが好ましい。
【００２７】
この様に合流ユニットに搬送ローラが設けられているから、該合流ユニットに形成された用紙搬送面上の用紙の搬送を円滑に行うことができる。
【００２８】
加えて本発明においては、前記駆動力伝達部が、用紙搬送装置本体側に向けた駆動力を送出する送出部を有することが好ましい。
【００２９】
即ち上記駆動力伝達部に伝達された駆動力を更に用紙搬送装置本体側に送出するものであるが、上記合流ユニットの設置位置は、言わば用紙搬送路が集約した箇所にあたることから、用紙搬送の為の駆動力を装置内に伝達する場合に、上記の如くこの合流ユニットから駆動力を伝番する様にすれば、用紙搬送装置全体の構造の簡素化を図ることができる。
【００３０】
【発明の実施の形態】
図１は、本発明の実施形態１に係る複写機（用紙搬送装置）の一例を示す断面模式図である。尚図７と同じ構成部分については同一の符号を付して重複説明を避ける。
【００３１】
この複写機１０は縦搬送型であり、下部に位置する第１の給紙部２１０と、側方から用紙を導入する第２の給紙部２２０を備えており、上記第１の給紙部２１０からの第１の用紙搬送路１１０は複写機１０の一方側側面（図では左側側面）に近接して位置しているが、上記第２の給紙部２２０からの第２の用紙搬送路（バイパス搬送路）１２０は複写機１０の奥まった箇所に位置している。尚上記第２の給紙部２２０への用紙の補給は、上記第１の用紙搬送路１１０とは反対側の複写機側面（図では右側側面）から行われる様になっている。
【００３２】
この複写機１０は排出部として上シートトレイ６０１，下シートトレイ６０２，及び横シートトレイ６０３の３つの用紙排出トレイを有し、定着部４００の下流側に設けられた第１の分岐点１１４、更に第２の分岐点１１５で分岐して、複写済みの用紙をそれぞれ上記上シートトレイ６０１，下シートトレイ６０２，横シートトレイ６０３に振り分けて排出できる様になっている。
【００３３】
更に上記複写機１０は両面印刷可能なものであり、上記第２の分岐点１１５で分岐した第４の用紙搬送路１４０を有し、この第４の用紙搬送路１４０が上記第１の用紙搬送路１１０における下流部分に合流し、続く画像形成部３００に向かって用紙裏面の画像形成が行われる。
【００３４】
複写機１０の一方側側面（図では左側側面）には扉部１１が形成されている。この扉部１１は、第１の用紙搬送路１１０における第１の給紙部２１０付近から横シートトレイ６０３への排出ローラ６０４部分までの間が分離，開放できる様になっており、該扉部（第１の相手部材）１１の内面（装置内側）に上記第１の用紙搬送路１１０の一方面１１０ａが形成されている。上記扉部１１は軸ピン１２を軸として開動し、図２［図１に示す複写機１０においてその扉部１１を開放した状態を表す断面模式図］に示す様に、扉部（第１の相手部材）１１を開放したときに（矢印Ｂ）、第１の用紙搬送路１１０が露出される様になっている。尚上記第４の用紙搬送路１４０は上記扉部１１に内蔵されている。
【００３５】
第１の用紙搬送路１１０への第２の用紙搬送路１２０の合流点１２４から、第１の用紙搬送路１１０への第３の用紙搬送路１３０の合流点１３４にかけた箇所において、上記第１の用紙搬送路１１０の他方面側に、着脱可能な合流ユニット１５が設けられている。図３はこの合流ユニット１５付近を示す拡大断面図であり、該合流ユニット１５は、合流点１２４近傍における第１の用紙搬送路１１０の他方面（第１他方面）１１０ｂと第２の用紙搬送路１２０の一方面（第２一方面）１２０ａとを形作っている。またこの合流ユニット１５は、上記合流点１３４近傍における第３の用紙搬送路１３０の一方面（以下、第３一方面と称することがある）１３０ａも形作っている。更に合流ユニット１５の上記第１他方面１１０ｂに向かって上記第４の用紙搬送路１４０の出口が開口し、第１の用紙搬送路１１０への第４の用紙搬送路１４０の合流箇所となっている。
【００３６】
上記合流ユニット１５の第２一方面１２０ａに対向した第２の用紙搬送路１２０の他方面（以下、第２他方面と称することがある）１２０ｂを形作る第２の相手部材、及び上記合流ユニット１５の第３一方面１３０ａに対向した第３の用紙搬送路１３０の他方面（以下、第３他方面と称することがある）１３０ｂを形作る第３の相手部材は、複写機本体に取り付けられている。
【００３７】
上記第２の用紙搬送路１２０における上流部分の搬送路１２１は、その一方面を形作る部材と他方面を形作る部材が１つのユニット（上流第２用紙搬送ユニット１２２）となっており、この上流第２用紙搬送ユニット１２２は複写機１０の正面側（手前側）に引出可能となっている。
【００３８】
図４，５は上記合流ユニット１５の斜視図であり、図４は第２の用紙搬送路１２０の一方面１２０ａ側からの斜視図で、図５は第１の用紙搬送路１１０の他方面１１０ｂ側からの斜視図である。但し図４においては複写機本体側に取り付けられたレール部（引出案内部材）３０も併せて図示している。
【００３９】
該合流ユニット１５は、第１の用紙搬送路１１０側の用紙搬送ガイド板２２及び複数のリブ２９、第２の用紙搬送路１２０側の用紙搬送ガイド板２３を有し、用紙が円滑に搬送される様になっている（矢印Ｄ，矢印Ｅ）。尚上記リブ２９の縁部分が搬送面となっている。またこの様にリブ構造にすることによって給紙性能が良好となる。
【００４０】
また紙送り用のフィードローラ（搬送ローラ）２１が第１の用紙搬送路１１０側に張り出して設けられており、第１の用紙搬送路１１０での用紙搬送時にこのフィードローラ２１が回転して用紙を下流側に搬送する（図５）。尚上記フィードローラ２１の駆動力は、後述するギア４２からギア４１及びクラッチ２４を介して伝達される。
【００４１】
合流ユニット１５の両側面（用紙搬送面に対する両側面）には円柱状の突起（引出被案内部材）２７，２８が突出して設けられている（図５（尚、図の奥側の側面にも突起が設けられている））。この突起２７，２８は、上記レール部３０に形成されたレール溝３１内を走行できる様になっている。
【００４２】
上記レール溝３１はその走行方向が２段階の略円弧状となっており、これは合流ユニット１５の引き出しに際して、合流ユニット１５が第３の用紙搬送路１３０の他方面１３０ｂ等に当接することがない様に引き抜き方向を導く為のものである。
【００４３】
更に合流ユニット１５の側面（用紙搬送面に対する側面）には駆動力伝達部４０が設けられており、この駆動力伝達部４０のギア４２に複写機本体の駆動系から駆動力が伝達される。この駆動力伝達部４０には両面駆動ギア２５及びバイパス駆動ギア２６が設けられており、上記ギア４２に伝達された駆動力が上記ギア４１と上記両面駆動ギア２５に分配され、更に上記ギア４１からバイパス駆動ギア２６に伝達される構成となっている。そして合流ユニット１５が複写機本体に装着された状態のとき、この両面駆動ギア２５に伝えられた駆動力は上記第４の用紙搬送路１４０の駆動ローラに伝達され、上記バイパス駆動ギア２６に伝えられた駆動力は上記第２の用紙搬送路１２０の駆動ローラに伝達されることとなる。
【００４４】
上記合流ユニット１５は様々な用紙搬送路が合流する用紙搬送の要であるが、この要である合流ユニット１５に上記の如く駆動力の分配部を配置することにより、用紙搬送装置全体の構造の簡素化を図ることができる。例えば仮に合流ユニットを避けて駆動力分配を行った場合では、駆動力の伝達経路が回り道となる可能性がある。
【００４５】
次に上記複写機１０において、紙詰まりを生じた際のジャム処理操作について述べる。
【００４６】
まず図２に示す様に扉部１１を開けて（矢印Ｂ）第１の用紙搬送路１１０を露出させ、この箇所に詰まった紙片等があればこれを取り除く。
【００４７】
次に図６［図１に示す複写機１０においてその扉部１１を開放し、更に合流ユニット１５を取り出す様子を表す断面模式図］に示す様に、第１の用紙搬送路１１０側から上記合流ユニット１５を引き出して取り外す（矢印Ｃ）。このとき、合流ユニット１５は上記レール溝３１に沿って２段階略円弧状に上向きに引き出されて（図４，６参照）、丁度第３の用紙搬送路の他方面１３０ｂに沿って上向きに引き出されることになるから、上記他方面１３０ｂに当接することなく円滑に取り外される。
【００４８】
この取り外し操作により第２の用紙搬送路１２０（特に合流点１２４近傍の第２の用紙搬送路１２０部分）及び第３の用紙搬送路１３０（特に合流点１３４近傍の第３の用紙搬送路１３０部分）が露出され、この箇所に詰まった紙片等を容易に取り除くことができる。
【００４９】
その後、合流ユニット１５を所定位置に装着し（矢印Ｃの逆向き）、扉部１１を閉じる（矢印Ｂの逆向き）。
【００５０】
上述の様に合流ユニット１５が引出可能な構成であるから、先ず第１の用紙搬送路を露出させ、次いで第２，３の用紙搬送路を露出させるといった２段階の露出操作を行うことにより、奥まって位置する第２の用紙搬送路１２０の合流箇所近傍また第３の用紙搬送路１３０の合流箇所近傍に対して容易にジャム処理を行うことができる。特に上記合流ユニット１５付近は用紙搬送路が交錯する様な箇所であるから、紙詰まりのおそれが高いが、上述の様にして容易にジャム処理できるから便利である。
【００５１】
以上、本発明に係る用紙搬送装置に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００５２】
例えば上記実施形態では、給紙部２００から画像形成部３００への用紙搬送路（用紙供給側の用紙搬送路）における合流箇所において、着脱可能な合流ユニット１５を設ける構成のものを示したが、本発明はこれに限るものではなく、様々な箇所の用紙搬送路が合流する部分に適用可能であり、例えば原稿読取部における両面読取りの為の用紙搬送路部分の様に搬送路が合流し交錯した部分に適用しても良い。
【００５３】
また上記実施形態では両面印刷可能な複写機を例に挙げたが、上記第４の用紙搬送路１４０を有しない複写機であっても良い。更に複写機に限らず、プリンター等の画像形成装置等にも適用できる。
【００５４】
加えて上記実施形態では合流ユニット１５の側面に突起２７，２８を設け、複写機本体側にレール部３０を設けて、合流ユニット１５の円滑な引き抜きを実現しているが、これに限るものではなく、例えば突起を複写機本体側に、レール部を合流ユニット１５側に設けても良い。また突起とレール部の組み合わせに限るものではなく、他の種類の案内部材と被案内部材の組み合わせてあっても良い。
【００５５】
また合流ユニットの搬送面の形状としては、上記実施形態に限らず、例えば図８［合流ユニットの他の例を示す斜視図（第１の用紙搬送路の他方面側から見た図）］に示す様に、上記複数のリブ２９に換えて、平面部分を搬送面とするガイド板４３を用いたものであっても良い。
【００５６】
【発明の効果】
本発明に係る用紙搬送装置においては、奥まって位置する用紙搬送路の合流箇所近傍に対しても容易にジャム処理することができる。
【図面の簡単な説明】
【図１】本発明の実施形態１に係る複写機（用紙搬送装置）の一例を示す断面模式図。
【図２】図１に示す複写機においてその扉部を開放した状態を表す断面模式図。
【図３】合流ユニット付近を示す拡大断面図。
【図４】第２の用紙搬送路の一方面側から見た合流ユニット（レール部も併せて図示）の斜視図。
【図５】第１の用紙搬送路の他方面側から見た斜視図。
【図６】図１に示す複写機においてその扉部を開放し、更に合流ユニットを取り出す様子を表す断面模式図。
【図７】複写機の概略構成を示す模式図。
【図８】合流ユニットの他の例を示す斜視図（第１の用紙搬送路の他方面側から見た図）。
【符号の説明】
１１  扉部
１２  軸ピン
１５  合流ユニット
２１  フィードローラ
２２，２３  用紙搬送ガイド板
２７，２８  突起
３０  レール部
３１  レール溝
４０  駆動力伝達部
１１０  第１の用紙搬送路
１１０ａ  第１の用紙搬送路の一方面
１１０ｂ  第１の用紙搬送路の他方面
１２０  第２の用紙搬送路
１２０ａ  第２の用紙搬送路の一方面
１２０ｂ  第２の用紙搬送路の他方面
１２４，１３４  合流点
１３０  第３の用紙搬送路
１３０ａ  第３の用紙搬送路の一方面
１３０ｂ  第３の用紙搬送路の他方面
１４０  第４の用紙搬送路
【図１】
0003730561.tif 000002
【図２】
0003730561.tif 000003
【図３】
0003730561.tif 000004
【図４】
0003730561.tif 000005
【図５】
0003730561.tif 000006
【図６】
0003730561.tif 000007
【図７】
0003730561.tif 000008
【図８】
0003730561.tif 000009